(57)【要約】【課題】簡易的な会議システムの構成で、カメラの撮影範囲がプレゼンターによって塞がれた場合でも、会議シーンに適した映像を表示させることを目的とする。【解決手段】撮影装置を制御する撮影装置制御手段と、入出力装置に入力があったか否かを判定する入力判定手段と、ネットワークを介して他の端末装置に情報を送信する情報送信手段と、他の端末装置より、情報を受信する情報受信手段と、を有し、情報送信手段は、入力判定手段において、入力があったと判定された場合、入力があったことを示す情報を他の端末装置に送信し、情報受信手段において、他の端末装置より、入力があったことを示す情報が受信された場合、撮影装置制御手段を制御して撮影装置に係る映像を切り替える切り替え手段を更に有することによって前記課題を解決する。【選択図】図１
2007318543.tif 000002
【特許請求の範囲】
【請求項１】
ネットワークを介して撮影装置と通信可能な端末装置であって、
前記撮影装置を制御する撮影装置制御手段と、
入出力装置に入力があったか否かを判定する入力判定手段と、
ネットワークを介して他の端末装置に情報を送信する情報送信手段と、
前記他の端末装置より、情報を受信する情報受信手段と、
を有し、
前記情報送信手段は、前記入力判定手段において、入力があったと判定された場合、入力があったことを示す情報を前記他の端末装置に送信し、
前記情報受信手段において、前記他の端末装置より、入力があったことを示す情報が受信された場合、前記撮影装置制御手段を制御して前記撮影装置に係る映像を切り替える切り替え手段を更に有することを特徴とする端末装置。
【請求項２】
前記切り替え手段は、前記情報受信手段において、前記他の端末装置より、入力があったことを示す情報が受信された場合、前記撮影装置制御手段を制御して前記撮影装置より受信する映像を切り替えることを特徴とする請求項１に記載の端末装置。
【請求項３】
前記撮影装置より受信した映像を解析する受信映像解析手段と、
前記受信映像解析手段において解析した映像が会議として成立しているか否かを判定する受信映像判定手段と、
を更に有し、
前記情報送信手段は、前記受信映像判定手段において、映像が会議として成立していないと判定された場合、映像が会議として成立していないことを示す情報を前記他の端末装置に送信し、
前記切り替え手段は、前記情報受信手段において、映像が会議として成立していないことを示す情報を前記他の端末装置より受信した場合、前記撮影装置制御手段を制御して前記撮影装置に係る映像を切り替えることを特徴とする請求項１又は２に記載の端末装置。
【請求項４】
前記撮影装置が設置されている場所に係る情報を記憶する場所情報記憶手段と、
前記入力判定手段において、入力があったと判定された場合、前記入力が前記場所情報記憶手段に記憶されている前記場所に係る情報が示す場所周辺での入力が否かを判定する入力判定手段と、
を更に有し、
前記情報送信手段は、前記入力判定手段において、前記入力が前記場所情報記憶手段に記憶されている前記場所に係る情報が示す場所周辺での入力であると判定された場合、前記場所に係る情報が示す場所周辺での入力であることを示す情報を前記他の端末装置に送信し、
前記切り替え手段は、前記情報受信手段において、前記場所に係る情報が示す場所周辺での入力であることを示す情報を前記他の端末装置より受信した場合、前記撮影装置制御手段を制御して前記撮影装置に係る映像を切り替えることを特徴とする請求項１乃至３の何れか１項に記載の端末装置。
【請求項５】
前記情報送信手段は、前記他の端末装置に情報を送信する替わりに、前記撮影装置に情報を送信することを特徴とする請求項１乃至４の何れか１項に記載の端末装置。
【請求項６】
ネットワークを介して通信可能な撮影装置を制御する撮影装置制御手段を有する端末装置における撮影装置制御方法であって、
入出力装置に入力があったか否かを判定する入力判定ステップと、
ネットワークを介して他の端末装置に情報を送信する情報送信ステップと、
前記他の端末装置より、情報を受信する情報受信ステップと、
を有し、
前記情報送信ステップでは、前記入力判定ステップにおいて、入力があったと判定された場合、入力があったことを示す情報を前記他の端末装置に送信し、
前記情報受信ステップにおいて、前記他の端末装置より、入力があったことを示す情報が受信された場合、前記撮影装置制御手段を制御して前記撮影装置に係る映像を切り替える切り替えステップを更に有することを特徴とする撮影装置制御方法。
【請求項７】
請求項６に記載の撮影装置制御方法を前記端末装置のコンピュータに実行させることを特徴とするプログラム。
【請求項８】
請求項７に記載のプログラムを記憶したコンピュータ読み取り可能な記憶媒体。
【発明の詳細な説明】
【技術分野】
【０００１】
本発明は、端末装置及び撮影装置制御方法に関する。
【背景技術】
【０００２】
近年、パーソナルコンピュータを使った電子会議システムがある。また、会議をリアルに表現するために、液晶プロジェクタやプラズマディスプレイパネル等の大型ディスプレイを使ってプレゼンテーションが行える電子会議システムもある。
【０００３】
また、会議中に発言している人を特定してフォーカスを合わせる会議システムもある（例えば、特許文献１参照）。
【０００４】
【特許文献１】特開平５−１２２６８９号公報
【発明の開示】
【発明が解決しようとする課題】
【０００５】
しかしながら、従来例にある電子会議システムでは会議の中心となる人物（話者・プレゼンター）を常に撮影するためにマイクアレイ等の複雑な機材を用意したり、参加者の音声をあらかじめ取り込ませたりする等の準備に手間がかかる。
【０００６】
また、会議参加者が常に指定された場所に存在するとは限らず、話者が動いた場合、追尾できない場所まで追尾したり、話者の過度のアップを撮影したりする等の会議としては無意味な視聴が発生してしまう問題点がある。
【０００７】
また、一般的な電子会議システムでは会議準備・導入を容易にするために会議用の入出力デバイスにカメラが一体化している。又は、入出力デバイスと、カメラが分離しているシステムでも会議参加者を撮影するために入出力デバイス周辺にカメラを配置するケースが多い。この場合、プレゼンターが入出力デバイスの前に立ちプレゼンテーションを行うと、カメラの撮影範囲がプレゼンターによって塞がれてしまい会議映像としては無意味な情報を送ることになる問題がある。
【０００８】
本発明はこのような問題点に鑑みなされたもので、簡易的な会議システムの構成で、カメラの撮影範囲がプレゼンターによって塞がれた場合でも、会議シーンに適した映像を表示させることを目的とする。
【課題を解決するための手段】
【０００９】
そこで、前記問題を解決するため、本発明は、ネットワークを介して撮影装置と通信可能な端末装置であって、前記撮影装置を制御する撮影装置制御手段と、入出力装置に入力があったか否かを判定する入力判定手段と、ネットワークを介して他の端末装置に情報を送信する情報送信手段と、前記他の端末装置より、情報を受信する情報受信手段と、を有し、前記情報送信手段は、前記入力判定手段において、入力があったと判定された場合、入力があったことを示す情報を前記他の端末装置に送信し、前記情報受信手段において、前記他の端末装置より、入力があったことを示す情報が受信された場合、前記撮影装置制御手段を制御して前記撮影装置に係る映像を切り替える切り替え手段を更に有することを特徴とする。
【００１０】
係る構成とすることにより、簡易的な会議システムの構成で、カメラの撮影範囲がプレゼンターによって塞がれた場合でも、会議シーンに適した映像を表示させることができる。
【００１１】
また、前記問題を解決するため、本発明は、撮影装置制御方法、プログラム及び記憶媒体としてもよい。
【発明の効果】
【００１２】
本発明によれば、簡易的な会議システムの構成で、カメラの撮影範囲がプレゼンターによって塞がれた場合でも、会議シーンに適した映像を表示させることができる。
【発明を実施するための最良の形態】
【００１３】
以下、本発明の実施形態について図面に基づいて説明する。
【００１４】
（実施形態１）
図１は、電子会議システムのシステム構成の一例を示す図（その１）である。１０１、１１１は端末装置であり、通信機能を有しネットワーク１０３に接続されている。なお、端末装置１０１、１１１はパーソナルコンピュータ等、情報を受信して、情報を表示したり、情報に基づいて処理を行ったりする機器である。
【００１５】
また、１０２、１１２はカメラであり、通信機能を有しネットワーク１０３若しくは、それぞれの端末装置に接続されている。
【００１６】
図２は、ディスプレイに表示される会議の様子の一例を示した図である。２０１、２０２は会議の参加者映像であり、それぞれ図１で言うカメラ１０２、１１２で撮影された映像である。２０３は会議で用いる資料等を表示する部分であり、プレゼンター等は、見るだけでなくデジタイザ等で直接入出力デバイスから書き込み（又は入力）を行うことができるエリアである。
【００１７】
図３は、端末装置１０１のハードウェア構成の一例を示す図である。端末装置１０１は、パーソナルコンピュータ及び、電子会議端末装置用プログラムデータによって構成され、ＣＰＵ３０１、メモリ３０２、記憶装置３０３、入力装置３０４、通信装置３０５、表示装置３０６、バス３０７を具備している。
【００１８】
ＣＰＵ３０１は処理の演算を行なう。メモリ３０２は演算に必要な記憶領域を実現する。記憶装置３０３は電子会議端末装置用プログラムデータ自体及び、その動作に必要なデータ（例えば、後述する情報記憶部３１１に記憶されている情報等）の格納を行なう。
【００１９】
入力装置３０４はパーソナルコンピュータのキーボードやマウス、デジタイザ等のユーザから入力する情報を受け付ける。通信装置３０５は端末装置１０１をネットワーク１０３に接続するための装置であり、他の端末装置１１１や、カメラ１０２、１１２と情報のやり取りを行なう。表示装置３０６は端末装置１０１が入力や送受信した情報及び、カメラ１０２、１１２が送受信した情報を表示する。バス３０７はこれらの装置間を繋ぎデータを転送する。
【００２０】
なお、より具体的には電子会議端末装置用プログラムデータは３０８に相当し、パーソナルコンピュータは３０１〜３０７の各部に相当する。
【００２１】
なお、端末装置１１１のハードウェア構成も、図３に示した端末装置１０１のハードウェア構成と同様である。
【００２２】
図４は、端末装置１０１の機能構成の一例を示す図である。情報記憶部３１１は、会議を行うために必要な情報である、ユーザ名、端末装置１０１のＩＰアドレス、その会議で用いるカメラ（例えば、カメラ１０２）のＩＰアドレス、画像情報等を記憶する。これらの情報は、情報管理部３１２からの要求に従い、情報記憶部３１１に書き込み、又は情報記憶部３１１より読み出される。
【００２３】
情報管理部３１２は、情報記憶部３１１を操作・管理する。情報管理部３１２は、制御部３１３からの要求に従い、情報を情報記憶部３１１に書き込み、又は情報を削除し、或いは情報を情報記憶部３１１から読み出す。
【００２４】
制御部３１３は、ネットワークに接続されているディスプレイやカメラからのイベント又は制御要求を受け付け、情報の保存を情報管理部３１２に指示したり、端末装置１０１が制御できるカメラを制御するイベント又は制御要求を送出したりする。
【００２５】
受信部３１４は、ネットワークに接続されているディスプレイやカメラからのイベント又は制御要求を受信し、受信したイベント又は制御要求を制御部３１３に送る。送信部３１５は、制御部３１３より送られてきた送信命令に従い、指定された端末装置や、ディスプレイ、カメラにイベント又は制御要求等のメッセージを送信する。
【００２６】
なお、端末装置１１１の機能構成も、図４に示した端末装置１０１の機能構成と同様である。
【００２７】
図５は、端末装置１０１のカメラ映像切り替え処理の一例を示すフローチャート（その１）である。なお、以下では、プレゼンテーションのイベント（入力イベント）の一例としてプレゼンター（ユーザ）がディスプレイに書き込みを行った場合について説明する。
【００２８】
まず、ステップ４０１〜ステップ４０４で、端末装置１０１は、プレゼンテーションに関するイベントを検知するまで待機する。イベントを検知したとき、どの端末装置における、どのようなイベントなのかに応じて、次のステップが異なってくる。
【００２９】
自身の端末装置（つまり、端末装置１０１）でプレゼンターが書き込みを行った場合、端末装置１０１は、ステップ４１１に進む。一方、相手の端末装置（例えば、端末装置１１１）でプレゼンターが書き込みを行った場合、端末装置１０１は、ステップ４２１に進む。
【００３０】
また、自身の端末装置でプレゼンターが書き込みを終了した場合、端末装置１０１は、ステップ４３１に進む。一方、相手の端末装置でプレゼンターが書き込みを終了した場合、端末装置１０１は、ステップ４４１に進む。
【００３１】
ステップ４０１において自身の端末装置でプレゼンターが書き込みを行っていることを検知すると、端末装置１０１は、ステップ４１１において、その検知内容を会議に参加している他の地点の端末装置に通知し、次のステップ４１２に進む。
【００３２】
次にステップ４１２において、端末装置１０１は、自身の地点を表示しているカメラ映像を「プレゼンテーションを行っている」アイコンに変更して、次のイベントが発生するまで再び待機する。
【００３３】
ステップ４２１において、端末装置１０１は、ステップ４０２において他の端末装置でプレゼンターが書き込みを行っていることを検知すると、通知のあった地点のカメラ映像を「プレゼンテーションを行っている」アイコンに変更する。そして、端末装置１０１は、次のイベントが発生するまで再び待機する。
【００３４】
ステップ４０３において自身の端末装置でプレゼンターが書き込みを終了したことを検知すると、端末装置１０１は、ステップ４３１において、その検知内容を会議に参加している他の地点の端末装置に通知し、次のステップ４３２に進む。
【００３５】
次にステップ４３２において、端末装置１０１は、自身の地点を表示しているカメラ映像を元の撮影映像に戻し、次のイベントが発生するまで再び待機する。
【００３６】
また、ステップ４０４において他の端末装置でプレゼンターが書き込みを終了したことを検知すると、端末装置１０１は、ステップ４４１において、通知のあった地点のカメラ映像を元の撮影映像に戻し、次のイベントが発生するまで再び待機する。
【００３７】
図６は、電子会議を行っている一般的なレイアウト構成の一例を示す図である。５０１はプレゼンテーションを行うための表示及び書き込みが行える入出力デバイス（例えば、デジタイザ機能搭載ディスプレイ）である。５０２は会議の様子を撮影するカメラであり、例えば図１のカメラ１０２等に対応する。なお、図６の例では入出力デバイス５０１の上にカメラ５０２が置かれてある様子を示している。
【００３８】
５０３はカメラ５０２の撮影範囲を図示化したものである。５０４は入出力デバイス５０１を見ている会議参加者である。５０５はカメラ５０２によって撮影されたイメージ（撮影イメージ）である。
【００３９】
図６の例ではカメラ５０２の撮影範囲５０３に遮るものがなく、会議参加者５０４が撮影イメージ５０５のように全員問題なく撮影されている。
【００４０】
図７は、図６の会議室でプレゼンターがプレゼンテーションを行っている様子を示す図である。
【００４１】
６０１〜６０４は図６の５０１〜５０４と同じなので説明を省略する。６０５はプレゼンテーション（入出力デバイス６０１に入力）を行うために入出力デバイス６０１周辺に立っているプレゼンターである。６０６はそのときのカメラ６０２が撮影したイメージ（撮影イメージ）である。
【００４２】
図７の例ではカメラ６０２の撮影範囲６０３にプレゼンター６０５が立ちはだかっている形になっているため、撮影イメージ６０６のように、会議の映像としては無意味な映像が撮影され、会議の参加者はこのような映像を視聴することになる。
【００４３】
図８は、図７の状況下において図５のフローチャート処理を行ったときの、会議を行っている様子の一例を示した図である。７０１、７０３は図２の２０１、２０３と同じなので説明を省略する。
【００４４】
図８と、図２とで異なるのは、図８では、参加者映像７０２の地点において、プレゼンターがプレゼンテーションを行っているために表示が参加者映像ではなく、別の映像が表示されていることである。
【００４５】
これは、図５のフローチャートの処理によって、書き込みイベントが発生しているときは、プレゼンターがカメラの前に立ちはだかっているため、端末装置が、会議として無意味な映像を提供しないために映像を静止画に切り替えた様子を意味している。
【００４６】
このようにして、プレゼンターがプレゼンテーションのために入出力デバイスに立ちはだかり、カメラの撮影範囲を遮ったとしても、会議の参加者は、プレゼンターの過度のアップ映像という会議としては意味を成さない映像を視聴せずにすむことができる。
【００４７】
（実施形態２）
次に実施形態２について説明する。
実施形態２における電子会議システムでは図１に示すような電子会議システムにおいて、入出力デバイスが大型化した場合若しくはカメラ位置が偏っている場合、プレゼンターがプレゼンテーションを行った場合でもカメラの撮影範囲を遮らないエリアが存在する。
この場合、プレゼンターが撮影範囲の遮らない場所でプレゼンテーションを行っている時には、カメラの映像は会議として有効な映像を撮影しているので、そのまま表示を継続した方がよい。
【００４８】
しかし、カメラの撮影範囲を遮った場合、会議としては無意味な映像になるためにカメラ映像を切り替えることで、より会議に求められる映像を常に提供できる。
実施形態２におけるシステムの構成は、実施形態１と同様であり、その説明を省略する。
【００４９】
図９は、端末装置１０１のカメラ映像切り替え処理の一例を示すフローチャート（その２）である。なお、以下では、プレゼンテーションのイベント（入力イベント）の一例としてプレゼンター（ユーザ）がディスプレイに書き込みを行った場合について説明する。
【００５０】
まずステップ８０１〜ステップ８０４で、端末装置１０１は、プレゼンテーションに関するイベントを検知するまで待機する。イベントを検知したとき、どの端末装置における、どのようなイベントなのかに応じて、次のステップが異なってくる。
【００５１】
自身の端末装置（つまり、端末装置１０１）でプレゼンターが書き込みを行った場合、端末装置１０１は、ステップ８１１に進む。一方、相手の端末装置（例えば、端末装置１１１）でプレゼンターが書き込みを行い、その地点のカメラの撮影範囲がプレゼンターによって遮断されている旨の通知を受けた場合、端末装置１０１は、ステップ８２１に進む。
【００５２】
また、自身の端末装置でプレゼンターが書き込みを終了、若しくはプレゼンターによるカメラの撮影範囲の遮断が解除された場合、端末装置１０１は、ステップ８３１に進む。一方、相手の端末装置でプレゼンターが書き込みを終了、若しくはプレゼンターによるカメラの撮影範囲の遮断が解除された旨の通知を受けた場合、端末装置１０１は、ステップ８４１に進む。
【００５３】
ステップ８０１において自身の端末装置でプレゼンターが書き込みを行っていることを検知すると、端末装置１０１は、ステップ８１１において、プレゼンターが書き込みを行っている位置が、カメラの撮影範囲に含まれているか否かを判定する。
【００５４】
端末装置１０１は、メモリ３０２等に予め登録されているカメラ位置と、プレゼンターが書き込みを行っている位置と、から、プレゼンターが書き込みを行っている位置が、カメラの撮影範囲に含まれているか否かを判定する。プレゼンターが書き込みを行っている位置が、カメラの撮影範囲に含まれているか否かを判定した場合、端末装置１０１は、次のステップ８１２に進み、それ以外の場合は次のイベントが発生するまで再び待機する。
【００５５】
ステップ８１１において自身の端末装置でプレゼンターがカメラの撮影範囲を遮断していることを検知すると、端末装置１０１は、ステップ８１２において、その検知内容を会議に参加している他の地点の端末装置に通知し、次のステップ８１３に進む。
【００５６】
次にステップ８１３において、端末装置１０１は、自身の地点を表示しているカメラ映像を「プレゼンテーションを行っている」アイコンに変更して、次のイベントが発生するまで再び待機する。
【００５７】
ステップ８０２において他の端末装置でプレゼンターが書き込みを行い、そのプレゼンターがその地点のカメラの撮影範囲を遮断していることを検知する。すると、端末装置１０１は、ステップ８２１において、通知のあった地点のカメラ映像を「プレゼンテーションを行っている」アイコンに変更して、次のイベントが発生するまで再び待機する。
【００５８】
ステップ８０３において自身の端末装置でプレゼンターが書き込みを終了、若しくはプレゼンターによるカメラの撮影範囲の遮断が解除されたことを検知する。すると、端末装置１０１は、ステップ８３１において、その検知内容を会議に参加している他の地点の端末装置に通知し、次のステップ８３２に進む。
【００５９】
次にステップ８３２において、端末装置１０１は、自身の地点を表示しているカメラ映像を元の撮影映像に戻し、次のイベントが発生するまで再び待機する。
【００６０】
ステップ８０４において他の端末装置でプレゼンターが書き込みを終了、若しくはプレゼンターによるカメラの撮影範囲の遮断が解除されたことを検知すると、端末装置１０１は、ステップ８４１において、通知のあった地点のカメラ映像を元の撮影映像に戻す。そして、端末装置１０１は、次のイベントが発生するまで再び待機する。
【００６１】
図１０は、会議室でプレゼンターがプレゼンテーションを行っている様子を示す図である。９０１〜９０３は、図７の６０１〜６０３と同じなので説明を省略する。
【００６２】
図１０において、図７と異なる点は、入出力デバイス９０１が大型化しており、それに伴いカメラ９０２も入出力デバイス９０１の上部端に設置されている点である。これにより、プレゼンターが９０４の位置でプレゼンテーションを行った場合は、カメラ９０２の撮影範囲９０３を遮ることがないので、会議の参加者にとって、会議映像の視聴に問題はない。しかし、プレゼンターが９０５の位置でプレゼンテーションを行った場合、カメラ９０２の撮影範囲９０３を遮ってしまい、プレゼンター９０５の過度なアップ映像を撮影することになる。よって、会議の参加者にとって、会議の映像としては無意味な映像を視聴することになる。
【００６３】
この場合、プレゼンターが９０５の位置でプレゼンテーションを行った場合に図９のフローチャート処理を適用することで問題を解決できる。このようにして、会議で用いるデバイスの環境が変化した場合でも、会議の参加者にとって無意味な映像の視聴を防ぐことができる。
【００６４】
（実施形態３）
次に実施形態３について説明する。
図１１は、電子会議システムのシステム構成の一例を示す図（その２）である。実施形態３における電子会議システムではカメラ１００２／１００３、１０１２／１０１３のように１つの会議室にカメラが複数台存在している。図１１に示されるように、これらのカメラは、ネットワーク又は端末装置に接続されている。それ以外の構成は図１と同じである。
【００６５】
図１２は、端末装置１００１の利用カメラ切り替え処理の一例を示すフローチャートである。なお、以下では、プレゼンテーションのイベント（入力イベント）の一例としてプレゼンター（ユーザ）がディスプレイに書き込みを行った場合について説明する。
【００６６】
まずステップ１１０１〜ステップ１１０４で、端末装置１００１は、プレゼンテーションに関するイベントを検知するまで待機する。イベントを検知したとき、どの端末装置における、どのようなイベントなのかに応じて、次のステップが異なってくる。
【００６７】
自身の端末装置（つまり、端末装置１００１）でプレゼンターが書き込みを行った場合、端末装置１００１は、ステップ１１１１に進む。一方、相手の端末装置（例えば、端末装置１０１１）でプレゼンターが書き込みを行った場合、端末装置１００１は、ステップ１１２１に進む。
【００６８】
また、自身の端末装置でプレゼンターが書き込みを終了した場合、端末装置１００１は、ステップ１１３１に進む。一方、相手の端末装置でプレゼンターが書き込みを終了した場合、端末装置１００１は、ステップ１１４１に進む。
【００６９】
ステップ１１０１において、自身の端末装置でプレゼンターが書き込みを行っていることを検知すると、端末装置１００１は、ステップ１１１１において、その検知内容を会議に参加している他の地点の端末装置に通知し、次のステップ１１１２に進む。
【００７０】
次にステップ１１１２において、端末装置１００１は、自身の地点で制御しているカメラを、プレゼンターを撮影している別のカメラに切り替え、次のイベントが発生するまで再び待機する。
【００７１】
ステップ１１０２において、他の端末装置でプレゼンターが書き込みを行っていることを検知する。すると、端末装置１００１は、ステップ１１２１において、通知のあった地点のカメラ映像をその地点のプレゼンターを撮影している別のカメラに切り替え、次のイベントが発生するまで再び待機する。
【００７２】
ステップ１１０３において、自身の端末装置でプレゼンターが書き込みを終了したことを検知すると、端末装置１００１は、ステップ１１３１において、その検知内容を会議に参加している他の地点の端末装置に通知し、次のステップ１１３２に進む。
【００７３】
ステップ１１３２において、端末装置１００１は、自身の地点を表示しているカメラを、会議参加者を撮影していた元のカメラに戻し、次のイベントが発生するまで再び待機する。
【００７４】
ステップ１１０４において、他の端末装置でプレゼンターが書き込みを終了したことを検知すると、端末装置１００１は、ステップ１１４１において、通知のあった地点のカメラその地点の会議参加者を撮影していた元のカメラに戻す。そして、端末装置１００１は、次のイベントが発生するまで再び待機する。
【００７５】
図１３は、カメラ２台を利用して電子会議を行っているレイアウト構成の一例を示す図である。１２０１〜１２０５は、図７の６０１〜６０５と同じなので説明を省略する。
【００７６】
図１３において、図７と異なる点は、新たにもう一つのカメラ１２０６と、その撮影範囲のイメージ１２０７と、が追加されている点である。
【００７７】
カメラ１２０２は、会議に参加している参加者を撮影するように配置している。一方、カメラ１２０６は、プレゼンターを撮影するように配置している。
【００７８】
端末装置は、図１２に示したフローチャート処理を適用することで、例えば、プレゼンターがプレゼンテーションを行っていない場合はカメラ１２０２を用い、プレゼンターがプレゼンテーションを行っている場合はカメラ１２０６を用いるように切り替え制御を行なうことができる。
【００７９】
図１４は、図１３の状況下において図１２のフローチャート処理を行ったときの、会議を行っている様子の一例を示した図である。１３０１、１３０３は、図２の２０１、２０３と同じなので説明を省略する。
【００８０】
図１４と、図２とで異なるのは、参加者映像１３０２の地点において、プレゼンターがプレゼンテーションを行っているために表示が参加者映像ではなく、別の映像が表示されていることである。
【００８１】
これは、図１２フローチャートの処理によって、書き込みイベントが発生しているときは、プレゼンターがカメラの前に立ちはだかっているため、端末装置が、プレゼンターを撮影するためのカメラに切り替えたことで、プレゼンターが表示されている。
【００８２】
図１５は、ある会議室で管理しているカメラのアドレス表の一例を示す図である。この情報をそれぞれの会議室で保持しておく。そして、図１２のフローチャートにおけるイベント通知を他の端末装置に送信するときに、端末地装置は、このカメラアドレス表から対応するアドレスを読み込む。そして、端末装置は、イベント通知を他の端末装置に送信するときに、アドレスを一緒に送信することで、他の端末装置もそのアドレスに従ってカメラを切り替えることができる。
【００８３】
このようにして、プレゼンテーションを行っている場合はプレゼンターの映像を見ることができ、それ以外の場合は会議参加者の映像を見ることができる。つまり、会議の参加者は、会議に無意味な映像の視聴を行わなくてもよくなる。
【００８４】
（実施形態４）
次に実施形態４について説明する。
実施形態４における電子会議システムでは、図１に示すような電子会議システムにおいて、プレゼンターがプレゼンテーションを行ったときのイベントをその会議室で用いているカメラに通知することでカメラ画像を制御することができる。
実施形態４における電子会議システムの構成は、実施形態１の電子会議システムの構成と同様であり、その説明を省略する。
【００８５】
図１６は、端末装置１０１の利用カメラ制御処理の一例を示すフローチャート（その３）である。なお、以下では、プレゼンテーションのイベント（入力イベント）の一例としてプレゼンター（ユーザ）がディスプレイに書き込みを行った場合について説明する。
【００８６】
まずステップ１５０１において、端末装置１０１は、プレゼンターがペンダウン等でディスプレイに書き込むのを検知するまで待機し、検知したら次のステップ１５０２に進む。
【００８７】
次にステップ１５０２において、端末装置１０１は、ステップ１５０１において検知したイベントをプレゼンターが用いているカメラに通知し、次のステップ１５０３に進む。このときカメラは自身の制御をＯＦＦにしたり、画像を止めたりする等の動作を行うことで、それを用いている会議室全体にその処理の影響を与える。
【００８８】
ステップ１５０３において、端末装置１０１は、プレゼンターがペンアップ等のディスプレイに書き込みを終えるのを検知するまで待機し、検知したら次のステップ１５０４に進む。
【００８９】
ステップ１５０４において、端末装置１０１は、ステップ１５０３において検知したイベントをプレゼンターが用いているカメラに通知し、図１６に示す処理を終了する。このときカメラは自身の制御をＯＮにしたり、画像を再開したりする等の動作を行うことで以前の動作に戻すことができる。
【００９０】
このように、プレゼンテーションイベントを他の端末装置全部に通知しなくても制御したいカメラ１台に通知することでも上述した実施形態の効果と同様の効果を得ることができる。
【００９１】
（他の実施形態）
上述した実施形態では、端末装置は、例えばステップ４１２等において、カメラ映像をアイコンに変更するよう説明を行った。しかしながら、端末装置は、アイコンに変更する替わりに、カメラ映像を別静止画にしたり、直前まで撮影していた画像にする等の会議に支障がない動画像にしたりしてもよい。
【００９２】
また、上述した実施形態では、書き込みイベントに応じて、カメラの切り替えを行うよう説明を行った。しかしながら、タイマー部等を端末装置に持たせ、書き込みタイムアウトイベントに応じて、カメラ切り替え制御を行うようにしてもよい。
【００９３】
また、カメラのフォーカス距離（近すぎた場合に切り替える等）や、撮影されている画像の解析（プレゼンター過度アップによる単色構成の画像の場合は切り替える等）等に応じて、カメラ切り替えイベントを発生させてもよい。
【００９４】
また、上述した実施形態では、端末装置等にカメラの配置を予め記憶させるよう説明を行った。しかしながら、カメラのフォーカス距離や、撮影されている画像の解析等から端末装置が、カメラの位置を把握するようにしてもよい。
【００９５】
また、上述した実施形態３の図１２では、プレゼンターの書き込みイベントで利用するカメラを切り替えるよう説明を行った。しかしながら、実施形態２の図９に示したように、カメラの撮影範囲をプレゼンター等が遮ったときに、利用するカメラを切り替えるようにしてもよい。
【００９６】
以上、上述した各実施形態によれば、簡易的な会議システムの構成で、カメラの撮影範囲がプレゼンターによって塞がれた場合でも、会議シーンに適した映像を表示させることができる。
【００９７】
以上、本発明の好ましい実施形態について詳述したが、本発明は係る特定の実施形態に限定されるものではなく、特許請求の範囲に記載された本発明の要旨の範囲内において、種々の変形・変更が可能である。なお、上述した各実施形態を任意に組み合わせて実施してもよい。
【図面の簡単な説明】
【００９８】
【図１】電子会議システムのシステム構成の一例を示す図（その１）である。
【図２】ディスプレイに表示される会議の様子の一例を示した図である。
【図３】端末装置１０１のハードウェア構成の一例を示す図である。
【図４】端末装置１０１の機能構成の一例を示す図である。
【図５】端末装置１０１のカメラ映像切り替え処理の一例を示すフローチャート（その１）である。
【図６】電子会議を行っている一般的なレイアウト構成の一例を示す図である。
【図７】図６の会議室でプレゼンターがプレゼンテーションを行っている様子を示す図である。
【図８】図７の状況下において図５のフローチャート処理を行ったときの、会議を行っている様子の一例を示した図である。
【図９】端末装置１０１のカメラ映像切り替え処理の一例を示すフローチャート（その２）である。
【図１０】会議室でプレゼンターがプレゼンテーションを行っている様子を示す図である。
【図１１】電子会議システムのシステム構成の一例を示す図（その２）である。
【図１２】端末装置１００１の利用カメラ切り替え処理の一例を示すフローチャートである。
【図１３】カメラ２台を利用して電子会議を行っているレイアウト構成の一例を示す図である。
【図１４】図１３の状況下において図１２のフローチャート処理を行ったときの、会議を行っている様子の一例を示した図である。
【図１５】ある会議室で管理しているカメラのアドレス表の一例を示す図である。
【図１６】端末装置１０１の利用カメラ制御処理の一例を示すフローチャート（その３）である。
【符号の説明】
【００９９】
１０１  端末装置
１０２  カメラ
１１１  端末装置
１１２  カメラ
３０１  ＣＰＵ
３０２  メモリ
３０３  記憶装置
３０４  入力装置
３０５  通信装置
３０６  表示装置
【図１】
2007318543.tif 000003
【図２】
2007318543.tif 000004
【図３】
2007318543.tif 000005
【図４】
2007318543.tif 000006
【図５】
2007318543.tif 000007
【図６】
2007318543.tif 000008
【図７】
2007318543.tif 000009
【図８】
2007318543.tif 000010
【図９】
2007318543.tif 000011
【図１０】
2007318543.tif 000012
【図１１】
2007318543.tif 000013
【図１２】
2007318543.tif 000014
【図１３】
2007318543.tif 000015
【図１４】
2007318543.tif 000016
【図１５】
2007318543.tif 000017
【図１６】
2007318543.tif 000018